(57)【特許請求の範囲】
【請求項１】
原稿を光学的に読み取る読取手段と、この読取手段により読み取られる前記原稿が載置される透明平板からなる原稿台と、前記原稿台の端縁に設けられ該原稿台上に載置された原稿の位置決めをするための位置決め部材と、前記原稿台上に載置された原稿を押える一端側を軸支されて開閉自在なトップカバーと、装置全体の制御を行う制御部と、を備えたスキャナ装置において、
前記トップカバーに設けられ、該カバーが閉じられた状態で、ユーザが前記位置決め部材のコーナ部と前記読取台上に載置された原稿の一部を目視可能とし、該原稿の位置ずれを確認するための窓部と、
前記窓部に着脱自在に装着され、装着することにより窓部を閉じると共に原稿を押えるクッション性部材を有した原稿押さえ手段と、
前記窓部に対応する前記位置決め部材の近傍に設けられ、該窓部に前記原稿押さえ手段が装着され該窓部が閉じたれたことを検出する開閉検出スイッチと、
前記開閉検出スイッチにより前記窓部が閉じられていないことが検出されたとき、その旨を表示する窓部状況ランプと、を備え、
前記制御部は、前記開閉検出スイッチにより前記窓部が閉じられていないことが検出されたとき、前記窓部状況ランプを点灯させると共に、前記読取手段を作動させないことを特徴とするスキャナ装置。
【請求項２】
原稿を光学的に読み取る読取手段と、この読取手段により読み取られる前記原稿が載置される透明平板からなる原稿台と、前記原稿台の端縁に設けられ該原稿台上に載置された原稿の位置決めをするための位置決め部材と、前記原稿台上に載置された原稿を押える一端側を軸支されて開閉自在なトップカバーと、装置全体の制御を行う制御部と、を備えたスキャナ装置において、
前記トップカバーに設けられ、該カバーが閉じられた状態で、ユーザが前記位置決め部材のコーナ部と前記読取台上に載置された原稿の一部を目視可能とし、該原稿の位置ずれを確認するための窓部と、
前記窓部に着脱自在に装着され、装着することにより窓部を閉じる原稿押さえ手段と、
前記窓部に対応する前記位置決め部材の近傍に設けられ、該窓部に前記原稿押さえ手段が装着され該窓部が閉じたれたことを検出する開閉検出スイッチと、を備え、
前記制御部は、前記開閉検出スイッチにより前記窓部が閉じられていないことが検出されたとき、前記読取手段を作動させないことを特徴とするスキャナ装置。
【請求項３】
前記開閉検出スイッチにより前記窓部が閉じられていないことが検出されたとき、その旨を表示する窓部状況表示部をさらに備え、
前記制御部は、前記開閉検出スイッチにより前記窓部が閉じられていないことが検出されたとき、その旨を前記窓部状況表示部に表示させることを特徴とする請求項２に記載のスキャナ装置。
【発明の詳細な説明】
【技術分野】
【０００１】
本発明は、原稿台上に載置された原稿が基準となる位置からずれているか否かを目視するための窓部を備えたスキャナ装置に関する。
【背景技術】
【０００２】
従来、原稿台に載置された原稿を押さるトップカバーを閉じた状態のスキャナ装置において、原稿台に載置された原稿位置がずれることがあり、この原稿位置がずれた状態で原稿画像が読み取られることで、読取不能や読取不良が発生していた。そこで、例えば、特許文献１，２に示されるように、トップカバーを閉じた状態で、ユーザが読取台に載置した原稿位置を確認し、原稿位置のずれを知ることができる開閉自在な窓部をトップカバーに設けたスキャナ装置が知られている。これにより、ユーザはトップカバーを閉じた状態で窓部を開いて原稿を確認することで、原稿位置のずれを知ることができるため、原稿位置がずれたままの状態で原稿画像を読み取ることを回避することができる。
【０００３】
しかしながら、上記いずれの特許文献に示される技術においても、窓部が開いた状態のままであっても、ユーザは原稿台に載置された原稿を読み取る読取機能を作動させることができた。これにより、ユーザはトップカバーに設けられた窓部を開いて原稿のずれを確認し、原稿を正しい位置にセットした場合であっても、窓部を閉め忘れた状態で読取機能を作動させることがあったため、閉め忘れた窓部からの光漏れによる原稿画像の読取不能や読取不良が生じていた。
【特許文献１】特開平４−８１７４４号公報
【特許文献２】特開平４−１５２３３３号公報
【発明の開示】
【発明が解決しようとする課題】
【０００４】
本発明は、上記課題を解決するものであって、トップカバーに設けられた原稿位置を確認するための開閉自在な窓部により、ユーザは原稿台に載置された原稿のずれを知ることができると共に、原稿位置を確認するための窓部が開いた状態では、載置された原稿を読み取る読取機能を作動させないことにより、開いた窓部からの光漏れによる読取不能や読取不良を回避することができるスキャナ装置を提供することを目的とする。
【課題を解決するための手段】
【０００５】
上記課題を解決するために、請求項１の発明は、原稿を光学的に読み取る読取手段と、この読取手段により読み取られる原稿が載置される透明平板からなる原稿台と、原稿台の端縁に設けられ原稿台上に載置された原稿の位置決めをするための位置決め部材と、原稿台上に載置された原稿を押える一端側を軸支されて開閉自在なトップカバーと、装置全体の制御を行う制御部と、を備えたスキャナ装置において、トップカバーに設けられ、カバーが閉じられた状態で、ユーザが位置決め部材のコーナ部と読取台上に載置された原稿の一部を目視可能とし、原稿の位置ずれを確認するための窓部と、窓部に着脱自在に装着され、装着することにより窓部を閉じると共に原稿を押えるクッション性部材を有した原稿押さえ手段と、窓部に対応する位置決め部材の近傍に設けられ、窓部に原稿押さえ手段が装着され窓部が閉じたれたことを検出する開閉検出スイッチと、開閉検出スイッチにより窓部が閉じられていないことが検出されたとき、その旨を表示する窓部状況ランプと、を備え、制御部は、開閉検出スイッチにより窓部が閉じられていないことが検出されたとき、窓部状況ランプを点灯させると共に、読取手段を作動させないようにしたものである。
【０００６】
また、請求項２の発明は、原稿を光学的に読み取る読取手段と、この読取手段により読み取られる原稿が載置される透明平板からなる原稿台と、原稿台の端縁に設けられ原稿台上に載置された原稿の位置決めをするための位置決め部材と、原稿台上に載置された原稿を押える一端側を軸支されて開閉自在なトップカバーと、装置全体の制御を行う制御部と、を備えたスキャナ装置において、トップカバーに設けられ、カバーが閉じられた状態で、ユーザが位置決め部材のコーナ部と読取台上に載置された原稿の一部を目視可能とし、原稿の位置ずれを確認するための窓部と、窓部に着脱自在に装着され、装着することにより窓部を閉じる原稿押さえ手段と、窓部に対応する位置決め部材の近傍に設けられ、窓部に原稿押さえ手段が装着され窓部が閉じたれたことを検出する開閉検出スイッチと、を備え、制御部は、開閉検出スイッチにより窓部が閉じられていないことが検出されたとき、読取手段を作動させないようにしたものである。
【０００７】
また、請求項３の発明は、請求項２において、開閉検出スイッチにより窓部が閉じられていないことが検出されたとき、その旨を表示する窓部状況表示部をさらに備え、制御部は、開閉検出スイッチにより窓部が閉じられていないことが検出されたとき、その旨を窓部状況表示部に表示させるものである。
【発明の効果】
【０００８】
請求項１の発明によれば、ユーザは、トップカバーを閉じた状態であってもトップカバーに設けられた窓部から原稿のずれを確認することができると共に、窓部が開いている状態では、読取機能を作動させないことで、開いた窓部からの光漏れによる読取不能や読取不良を回避することができる。また、窓部を閉めることで原稿を押えることができるため、原稿の一部が原稿台から浮くことによる読取不能、読取不良を回避することができる。これにより、原稿を読取直す必要がなくなるため、再読取による作業時間や印刷用紙の無駄をなくすことが可能となる。さらに、窓部が開いているとき、その旨を窓部状況表示部に表示することで、ユーザは窓部が開いた状態であることを容易に知ることができる。
【０００９】
請求項２の発明によれば、ユーザは、トップカバーを閉じた状態であってもトップカバーに設けられた窓部から原稿のずれを確認することができると共に、窓部が開いている状態では、読取機能を作動させないことで、開いた窓部からの光漏れによる読取不能や読取不良を回避することができる。
【００１０】
請求項３の発明によれば、窓部が開いているとき、その旨を窓部状況表示部に表示することで、ユーザはスキャナ装置から離れた場所であっても窓部が開いた状態であることを容易に知ることができる。
【発明を実施するための最良の形態】
【００１１】
以下、本発明の実施形態に係るスキャナ装置について、図面を参照して説明する。図１は、本発明の第１の実施形態に係るスキャナ装置を、図２は同スキャナ装置のトップカバーが開放した状態を示す。スキャナ装置１は、ユーザによる電源投入をはじめとする各種操作を受け付ける操作パネル２と、原稿が載置される透明平板ガラスから成る原稿台１１と、原稿台１１に載置された原稿を押えるトップカバー３と、原稿台１１に載置された原稿を光学的に読み取る読取機能、及び装置全体の動作を制御する制御部（図示しない）を内装した本体部４とを備える。
【００１２】
トップカバー３は、トップカバー３を閉じた状態で、ユーザが原稿台１１に載置された原稿位置を確認するための窓部５と、窓部５に脱着可能であって窓部５を閉じるための原稿押さえ手段６（以下、キャップカバー６という）とを備える。トップカバー３の裏面は、原稿台１１に対応する一面に原稿台１１に載置された原稿を押さえるクッション性部材を備え、このクッション性部材は、白色シート１０で覆われている。キャップカバー６は、トップカバー３の裏面と同様に、原稿台１１に載置された原稿を押さえるクッション性部材８を備え、このクッション性部材８は、白色シート１０で覆われている。また、キャップカバー６の上面には、ユーザがキャップカバー６を窓部５に脱着させるときに摘まむ取手９を備える。ここで、クッション性部材８とは、例えば、モルトプレンである。トップカバー３、及びキャップカバー６がクッション性部材８を備えることにより、原稿台１１に載置された原稿を均一に押えることができるため、原稿が原稿台１１から浮くことによる読取不能、又は読取不良を防ぐことができる。また、キャップカバー６が窓部５に嵌まり込み窓部５を閉じることで、原稿読取時に窓部５からの光漏れによる読取不能、又は読取不良を防ぐことができる。
【００１３】
原稿台１１は、載置された原稿の位置を定める基準となる目盛が刻まれた樹脂製又はプラスチック製の位置決め部材１２を原稿台１１の四方縁部に備える。位置決め部材１２は、位置決め部材１２の四隅のうちの一つの隅であって、原稿位置を決定する際に基準となり必ず原稿が載置されるコーナ部１３を有する。本体部４は、コーナ部１３の近傍に、キャップカバー６が窓部５を閉じているか否かを検出する開閉検出スイッチ１４を備える。ここで開閉検出スイッチ１４は、例えば、タクトスイッチ又はリーフスイッチなどである。本体部３は、窓部５が閉じていないことを開閉検出スイッチ１４が検出したときに点灯する窓部状況ランプ７（以下、インジケータ７という）を備える。インジケータ７が点灯することで、ユーザは窓部５が開いていることを容易に知ることができる。ここで、インジケータ７とは、例えば、ＬＥＤである。
【００１４】
図３は同スキャナ装置のキャップカバー６により窓部５を閉じる状態を示す。トップカバー３が閉じられた状態で、キャップカバー６は、窓部５に嵌め込まれることにより窓部５を閉じる。開閉検出スイッチ１４は、開放された窓部５内であって嵌め込まれるキャップカバー６に当接する位置に設けられている。キャップカバー６は、窓部５に嵌め込まれるときに開閉検出スイッチ１４に当接し開閉検出スイッチ１４を押し下げながら窓部５を閉じる。キャップカバー６により押し下げられることで、開閉検出スイッチ１４は、キャップカバー６が嵌め込まれ窓部５が閉じた状態であることを検出する。
【００１５】
図４（ａ）（ｂ）は、開放した窓部５からみた原稿位置の状況を示す。図４（ａ）は、原稿台１１に正しく原稿１６が載置された状態を示す。図４（ａ）では、原稿１６の角部が位置決め部材１２のコーナ部１３に位置し、原稿１６の各辺は位置決め部材１２に沿って原稿台１１に載置されている。一方、図４（ｂ）は、原稿台１１に正しく原稿１６が載置されていない状態を示す。図４（ｂ）では、原稿１６の角部が、位置決め部材１２のコーナ部１３からずれており、原稿１６の各辺が位置決め部材１２に沿わない状態で載置されている。ユーザは、原稿台１１に原稿１６を載置し、トップカバー３を閉じた後、窓部５のキャップカバー６を開き、開放された窓部５から位置決め部材１２及びコーナ部１３と原稿１６とを確認することにより、原稿１６が正しく載置さてれているか否かを知ることができる。原稿１６が正しく載置されている場合は、ユーザはキャップカバー６を窓部５に嵌め込み窓部５を閉じる。一方、原稿１６が正しく載置されていない場合は、ユーザはトップカバー３を開いて原稿１６を原稿台１１に載置し直すことで、原稿１６が正しく載置されていないことによる読取不能、及び読取不良を回避することができる。
【００１６】
図５は、同スキャナ装置の動作フローを示す。電源が投入されると（Ｓ１０１）、制御部は、窓部５の開閉状態を示すステータスに、窓部５が閉じていることを示す「０」をセットする（Ｓ１０２）。次に、開閉検出スイッチ１４は、窓部５にキャップカバー６が嵌め込まれ窓部５が閉じているか否かを判断する（Ｓ１０３）。窓部５にキャップカバー６が嵌め込まれ開閉検出スイッチ１４が押し下げられると、開閉検出スイッチ１４は窓部５が閉じていると判断し、制御部はステータスに窓部５が開いていることを示す「１」をセットする（Ｓ１０４）。
【００１７】
さらに、制御部はインジケータ７を点灯させ（Ｓ１０５）、原稿台１１が原稿１６を読み取るスキャナ機能を停止し作動させないようにする（Ｓ１０６）。インジケータ７が点灯することによりユーザは、窓部５にキャップセンサー６が嵌め込まれておらず開放された状態であることを容易に知ることができる。制御部がスキャナ機能を作動させないことにより、ユーザは窓部５が開放した状態のままでスキャナ機能を作動させることができなくなる。
【００１８】
ステップＳ１０３で、開閉検出スイッチ１４が窓部５の開放状態を検出したとき、制御部はステータスに「０」をセットする（Ｓ１０７）。さらに、制御部はインジケータ７を消灯させ（Ｓ１０７）、スキャナ機能を作動可能な状態にする（Ｓ１０９）。その後、ユーザによりスキャナ機能を作動させる操作がなされると、制御部はスキャナ機能を作動させ原稿を読み取り終了する。これにより、窓部５が閉じている場合のみスキャナ機能が作動するため、窓部５の閉め忘れた状態ではスキャナ機能が作動しない。これにより、開放された窓部５からの光漏れによる読取不能、又は読取不良を回避することができる。
【００１９】
以上のように第１の実施形態のスキャナ装置１においては、ユーザは、トップカバー３を閉じた状態であってもトップカバー３に設けられた窓部５から原稿１６の位置ずれを確認することができると共に、制御部が窓部５の開放時に読取機能を作動させないことで、開いた窓部５からの光漏れによる読取不能や読取不良を回避することができる。また、キャップカバー６を窓部５に嵌め込み窓部５を閉めることで原稿１６を押えることができるため、原稿１６の一部が原稿台１１から浮くことによる読取不能、読取不良を回避することができる。これにより、原稿１６を読取直す必要がなくなるため、再読取による作業時間や印刷用紙の無駄をなくすことが可能となる。また、窓部５が開いているとき、インジケータ７を点灯させることで、ユーザは窓部５が開いた状態であることを容易に知ることができる。
【００２０】
図６は、本発明の第２の実施形態に係るスキャナ装置を示す。窓部５を閉じる原稿押え手段１５は、開閉自在であり一端がトップカバー３に軸支されており、窓部５、及び原稿押え手段１５の形状は四角形である。この構成によれば、上記第１の実施形態の装置の作用効果に加えて、原稿押え手段１５はトップカバー３に接続されているため、ユーザが原稿押え手段１５を紛失することを防止できる。
【００２１】
図７は、本発明の第３の実施形態に係るスキャナ装置を示す。パーソナルコンピュータ１７（以下、パソコン１７という）は、スキャナ装置１とケーブル２０で接続され、スキャナ装置１からの情報を受け取るパソコン本体部１８と、パソコン本体部１８がスキャナ装置１から受け取った情報を表示する窓部状況表示部１９（以下、モニタ１９という）とを備える。ここで、スキャナ装置１とパソコン本体部１８とを接続するケーブル２０は、例えば、シリアルケーブル、ＬＡＮケーブル、ＵＳＢケーブルなどである。また、スキャナ装置１とパソコン本体部１８は、有線による接続に限られず、赤外線や無線ＬＡＮなどの無線によって接続される構成であってもよい。
【００２２】
この実施形態においては、開閉検出スイッチ１４が窓部５の開放状態を検出したとき、制御部は窓部５が開放している旨をケーブル２０を介してパソコン本体部１８へ伝達する。パソコン本体部１８は、制御部からの伝達を受けると、窓部５が開放状態である旨をモニタ１９にエラーメッセージ２１として表示する。モニタ１９に表示されたエラーメッセージ２１により、ユーザは、スキャナ装置１から離れた場所であっても、スキャナ装置１の窓部５が開放状態であることを知ることができる。
【００２３】
なお、本発明は、上記実施形態の構成に限られず、種々の変形が可能であり、例えば、窓部５はトップカバー３に複数設けても構わない。また、窓部状況表示部１９が設置される機器としてはパソコン１７に限られず、汎用機や携帯電話など各種情報通信機器であっても構わない。
【図面の簡単な説明】
【００２４】
【図１】本発明の第１の実施形態に係るスキャナ装置を示す斜視図。
【図２】同スキャナ装置のトップカバーが開放した状態を示す斜視図。
【図３】同スキャナ装置のキャップカバー６により窓部５を閉じる状態を示す斜視図。
【図４】同スキャナ装置の開放した窓部５からみた原稿位置の状況を示す説明図。
【図５】同スキャナ装置の動作フロー。
【図６】本発明の第２の実施形態に係るスキャナ装置を示す斜視図。
【図７】本発明の第３の実施形態に係るスキャナ装置を示す説明図。
【符号の説明】
【００２５】
１  スキャナ装置
３  トップカバー
４  本体部
５  窓部
６  キャップカバー（原稿押さえ手段）
７  インジケータ（窓部状況ランプ）
８  クッション性部材
１０  白色シート
１１  原稿台
１２  位置決め部材
１３  コーナ部
１４  開閉検出スイッチ
１５  原稿押さえ手段
１６  原稿
【図１】
0004655814.tif 000002
【図２】
0004655814.tif 000003
【図３】
0004655814.tif 000004
【図４】
0004655814.tif 000005
【図５】
0004655814.tif 000006
【図６】
0004655814.tif 000007
【図７】
0004655814.tif 000008